(57)【要約】【課題】一定時間データの記録又は再生が行われていないときに光ディスクの回転を停止する光ディスク装置において、高温の光ピックアップからの輻射熱による影響から光ディスクを保護する。【解決手段】光ディスク２の回転を停止する際の光ピックアップ５の温度を測定し、その温度が光ディスク２のデータ記録面に影響を及ぼすことのない所定の設定温度よりも高い場合に、光ピックアップ５の温度が所定の設定温度以下になるまで、トラッキングサーボ機構６を駆動して、光ピックアップ５を光ディスク２の半径方向に往復移動させる。【選択図】  図１
2004326944.tif 000002
【特許請求の範囲】
【請求項１】
光ディスクを回転させるスピンドルモータと、光ディスクに対してレーザビームを照射することによりデータの記録及び／又は再生を行う光ピックアップと、前記光ピックアップを光ディスクの半径方向に往復移動させるトラッキングサーボ機構と、前記光ピックアップの温度を測定する温度センサと、前記スピンドルモータの駆動及び前記トラッキングサーボ機構の駆動を制御する制御部を備えた光ディスク装置において、
前記制御部は、一定時間データの記録又は再生が行われていないときに前記スピンドルモータの駆動を停止すると共に、前記温度センサにより前記光ピックアップの温度を測定し、測定した温度を光ディスクのデータ記録面に影響を及ぼさない所定の設定温度と比較し、前記測定した温度が前記設定温度よりも高いときに、前記測定した温度が前記設定温度以下になるまで、前記トラッキングサーボ機構を駆動して前記光ピックアップを前記光ディスクの半径方向の最外周部から内側の所定の範囲で往復移動させ、前記光ピックアップの熱を拡散して冷却することにより、前記光ディスクのデータ記録面への前記光ピックアップの熱による影響を低減したことを特徴とする光ディスク装置。
【請求項２】
前記所定の範囲は、前記光ディスクのデータ記録面にデータが記録されていない領域であることを特徴とする請求項１に記載の光ディスク装置。
【請求項３】
光ディスクに対してデータの記録及び／又は再生を行う光ディスク装置において、
前記光ディスクの回転を停止する際の光ピックアップの温度が前記光ディスクのデータ記録面に影響を及ぼすことのない所定の設定温度よりも高い場合に、前記光ピックアップの温度が所定の設定温度以下になるまで、前記光ピックアップを前記光ディスクの半径方向に往復移動させることを特徴とする光ディスク装置。
【発明の詳細な説明】
【０００１】
【発明の属する技術分野】
本発明は、光ディスク装置において、高温になった光ピックアップの熱による光ディスクのデータ記録面への影響を低減する技術に関する。
【０００２】
【従来の技術】
例えば、ＤＶＤ−ＲＷやＤＶＤ−ＲＡＭなどのデータの記録が可能な光ディスクに対してデータの記録／再生を行う光ディスク装置では、連続してデータの記録／再生を行うと、半導体レーザの発熱により、光ピックアップの温度が７０〜８０℃の高温に達することが知られている。一方、光ディスク装置では、節電対策として、データの記録／再生が行われていないときには、スピンドルモータの回転を停止するように設定されている。仮に、光プックアップの温度が高温の状態で光ディスクの回転が停止されると、光ディスクのデータ記録面のうち光ピックアップに対向する部分が長時間光ピックアップからの輻射熱に曝されることになり、光ディスクのデータ記録面の状態が劣化して正確なデータの記録又は再生ができなくなる可能性がある。
【０００３】
このような光ピックアップからの熱による光ディスクのデータ記録面の変化を防止するために、例えば特許文献１には、光ピックアップの温度が所定の設定値よりも高い場合には、光ディスクの回転駆動を継続するように構成された光ディスク装置、及び、光ピックアップを光ディスクの最外周に退避させるように構成された光ディスク装置が示されている。
【０００４】
【特許文献１】
特開２００２−３０４７２４号公報
【０００５】
【発明が解決しようとする課題】
光ディスクの回転駆動を継続する場合は、データの記録／再生がなされていない状態でも一定時間光ディスクが回転駆動されることになり、節電効果が発揮できなくなる。また、光ピックアップを光ディスクの最外周に退避させる場合は、光ピックアップに対向する部分に熱による影響が及び、その部分に対してデータの記録又は再生ができなくなる可能性がある。
【０００６】
本発明は、上記従来例の問題点を解決するためになされたものであり、一定時間データの記録／再生が行われていないときに光ディスクの回転駆動を停止して節電効果を維持しつつ、光ピックアップの熱による影響から光ディスクを保護しうる光ディスク装置を提供することを目的としている。
【０００７】
【課題を解決するための手段】
上記目的を達成するため、請求項１の発明は、光ディスクを回転させるスピンドルモータと、光ディスクに対してレーザビームを照射することによりデータの記録及び／又は再生を行う光ピックアップと、前記光ピックアップを光ディスクの半径方向に往復移動させるトラッキングサーボ機構と、前記光ピックアップの温度を測定する温度センサと、前記スピンドルモータの駆動及び前記トラッキングサーボ機構の駆動を制御する制御部を備えた光ディスク装置において、前記制御部は、一定時間データの記録又は再生が行われていないときに前記スピンドルモータの駆動を停止すると共に、前記温度センサにより前記光ピックアップの温度を測定し、測定した温度を光ディスクのデータ記録面に影響を及ぼさない所定の設定温度と比較し、前記測定した温度が前記設定温度よりも高いときに、前記測定した温度が前記設定温度以下になるまで、前記トラッキングサーボ機構を駆動して前記光ピックアップを前記光ディスクの半径方向の最外周部から内側の所定の範囲で往復移動させ、前記光ピックアップの熱を拡散して冷却することにより、前記光ディスクのデータ記録面への前記光ピックアップの熱による影響を低減したことを特徴とする。
【０００８】
このような構成によれば、一定時間データの記録又は再生が行われていないときにスピンドルモータの駆動を停止するので節電効果が得られると共に、光ピックアップの温度が所定温度よりも高いときには所定温度以下になるまで光ピックアップが移動し続けるので、光ディスクのデータ記録面の特定の部分だけが長時間光ピックアップからの熱に曝されることはなく、データ記録面の状態が劣化することはほとんどない。その結果、正確なデータの記録又は再生を行うことができる。また、光ピックアップの方が光ディスクよりも質量が小さいため、光ピックアップを移動させる方が光ディスクを回転させるよりも消費電力が少なく、スピンドルモータの回転の停止による節電効果が維持される。さらに、光ピックアップの移動によりその周辺の空気が攪拌され、光ピックアップからの熱が拡散され、冷却効果が得られる。
【０００９】
また、請求項２の発明は、請求項１の光ディスク装置において、前記所定の範囲は、前記光ディスクのデータ記録面にデータが記録されていない領域であることを特徴とする。
【００１０】
このような構成によれば、光ピックアップの温度が非常に高温であり、仮に光ディスクのデータ記録面に影響が及ぶとしても、光ディスクに既に記録されているデータには影響が及ばず、記録されているデータを正確に再生することができる。
【００１１】
請求項３の発明は、光ディスクに対してデータの記録及び／又は再生を行う光ディスク装置において、前記光ディスクの回転を停止する際の光ピックアップの温度が前記光ディスクのデータ記録面に影響を及ぼすことのない所定の設定温度よりも高い場合に、前記光ピックアップの温度が所定の設定温度以下になるまで、前記光ピックアップを前記光ディスクの半径方向に往復移動させることを特徴とする。
【００１２】
このような構成によれば、光ディスクの回転停止時における光ピックアップが高温であったとしても、光ピックアップからの熱を拡散させることができ、光ディスクのデータ記録面が受ける熱による影響を低減することができる。
【００１３】
【発明の実施の形態】
本発明の一実施の形態に係る光ディスク装置について、図面を参照しつつ説明する。本実施形態に係る光ディスク装置１の構成を図１に示す。光ディスク装置１は、例えば、光ディスク２に向かって所定波長のレーザビームを照射し、光ディスクに記録されているデータを再生すると共に、例えばＤＶＤ−Ｒ、ＤＶＤ−ＲＷ、ＤＶＤ−ＲＡＭなどのデータの記録が可能な光ディスクに対してデータ再生時よりも強度（パワー）の大きいレーザビームを照射してデータを記録するものである。
【００１４】
図１に示すように、光ディスク装置１は、光ディスク２を保持するテーブル３と、テーブル３及びその上に保持された光ディスク２を回転駆動するスピンドルモータ４と、光ディスク２に対して光ビームを照射してデータの記録及び／又は再生を行う光ピックアップ５と、光ピックアップ５を光ディスク２の半径方向に移動させるトラッキングサーボ機構６と、スピンドルモータ４、光ピックアップ５及びトラッキングサーボ機構６を制御する制御部７と、光ピックアップ５から出力されるＲＦ信号を処理するためのＲＦ信号処理部８と、処理されたＲＦ信号をパーソナルコンピュータやモニタディスプレイ装置に出力するためのインタフェース（Ｉ／Ｆ）９などで構成されている。
【００１５】
次に、３ビーム方式の光ピックアップ５の構成を図２に示す。光ピックアップ５は、所定の波長のレーザビームを光ディスク２に向けて出力する半導体レーザ１１と、半導体レーザ１１から出力されたレーザビームを３本のビームに分光する回折格子（ＧＲ）１２と、回折格子１２により分光されたビームを透過させるとともに、光ディスク２からの反射光を反射させる偏光ビームスプリッタ（ＰＢＳ）１３と、ビームの偏光状態を変換する１／４波長板（λ／４）１４と、ビームの光路を光ディスク２側に９０度曲げるためのミラー１５と、ミラー１５により光路を曲げられたビームを平行光束にするコリメータレンズ１６と、平行光束化されたビームを光ディスク２上に集光するための対物レンズ１７と、光ディスク２からの反射光を受光し、光の強度に応じた電気信号に変換し出力する受光素子（ＰＤＩＣ）１８と、偏光ビームスプリッタ１３により反射された光を受光素子１８上に集光する集光レンズ１９と、半導体レーザ１１の近傍に設けられた温度センサ２０などで構成されている。
【００１６】
半導体レーザ１１から出力されたレーザビームは回折格子１２により回折され、０次回折光、±１次回折光、±２次回折光・・・に分光される。これらの回折光のうち、０次回折光は最も強度が高く、光ディスク２に対するデータの記録及び再生に用いられる。また、次に強度の高い１次回折光は、光ディスク２上でのトラッキング制御に用いられる。受光素子１８は、０次回折光及び±１次回折光に対応した３つの受光部を有し、それぞれ独立して信号を出力する。
【００１７】
ＲＦ信号処理部８は、光ピックアップ５の受光素子１８から出力されるアナログの信号を増幅し、Ａ／Ｄ変換して、所定のトラッキングエラー信号、フォーカシングエラー信号及び光ディスク２から読み出したデータに相当するＲＦ信号として出力する。トラッキングエラー信号及びフォーカシングエラー信号は制御部７に出力され、トラッキングサーボ制御及びフォーカシングサーボ制御に利用される。また、データ再生動作では、ＲＦ信号はインタフェース（Ｉ／Ｆ）９に出力され、光ディスク２のデータとしてパーソナルコンピュータやモニタディスプレイ装置に出力される。
【００１８】
制御部７は、所定の制御プログラムを記憶したＲＯＭ、制御プログラムを実行するＣＰＵ及びデータを一時的に記憶するＲＡＭなどで構成され、スピンドルモータ４の回転のオン／オフ、光ピックアップ５の半導体レーザ１１の発光のオン／オフ、データの記録時及び再生時における半導体レーザ１１の強度の切り換え、トラッキングサーボ機構６による光ピックアップ５のトラッキング、図示しないフォーカシングサーボ機構による光ピックアップ５の対物レンズ１７のフォーカシングなどを制御する。
【００１９】
光ディスク装置１では、半導体レーザ１１を連続して使用すると、半導体レーザ１１が発熱し、その熱が光ピックアップ５の全体に伝わり、温度が上昇する。光ピックアップ５は、微小なベース部材上に上記構成要素が搭載されているため、半導体レーザ１１の発熱により各部品が膨張し、レーザビームのフォーカシングエラーやトラッキングエラーが生ずる。また、半導体レーザ１１は温度が高くなると劣化が激しくなり、寿命が短くなる。光ディスク装置１では、光ピックアップ５の温度が０℃〜６０℃の範囲で動作を保障するため、半導体レーザ１１の近傍に温度センサ２０が設けられている。制御部７は、例えば光ピックアップ５の温度が７０℃以上になると、半導体レーザ１１の発振を停止するように制御する。また、制御部７は、一定時間（例えば１分）以上、光ディスク２に対してデータの記録又は再生が行われていないときは、節電のためにスピンドルモータ４の駆動を停止する。
【００２０】
ＤＶＤ−Ｒ、ＤＶＤ−ＲＷ、ＤＶＤ−ＲＡＭなどのようなデータの記録が可能な光ディスクでは、データ記録層にデータの再生時よりも強いレーザビームを照射して、データ記録層に相変化を生じさせ、光の反射率を変化させることによりデータの記録を行う。光ディスクを高温の物体の傍に長時間放置すると、その物体から熱を受けた部分が劣化し、その部分にデータを記録したり、あるいはその部分からデータを再生することができなくなる可能性がある。そのため、上記のようにスピンドルモータ４の駆動、すなわち光ディスク２の回転を停止した時点で、光ピックアップ５が高温であったとすると、光ディスク２のデータ記録面のうち、光ピックアップ５に対向する部分が光ピックアップ５から輻射される熱に曝され、正確なデータの記録又は再生ができなくなる可能性が高い。また、光ディスクの種類によっては、温度によりデータ記録面の構造が変化し、光ディスクに記録されたデータが消えたり、あるいは何も記録されていない領域にノイズ成分が記録されてしまう可能性もある。
【００２１】
制御部７は、光ディスク２の回転を停止する際に、温度センサ２０を用いて光ピックアップ５の温度を測定し、測定した温度を所定の設定温度と比較する。所定の設定温度としては、光ディスク２のデータ記録面に影響を及ぼすことのない温度（例えば６０℃）を設定する。そして、測定した光ピックアップ５の温度が所定の設定温度よりも高いときは、トラッキングサーボ機構６を駆動して、光ピックアップ５を光ディスク２の半径方向に往復移動させる。
【００２２】
このように、光ピックアップ５を移動させることにより、光ディスク２の同じ部分が長時間光ピックアップ５から輻射される熱に曝されることがなくなり、光ディスク２のデータ記録面にデータの記録又は再生ができなくなる可能性が大幅に低減される。さらに、光ピックアップ５の移動によりその周辺の空気が攪拌され、光ピックアップ５からの熱が拡散され、冷却効果が得られる。制御部７は、温度センサ２０により測定される光ピックアップ５の温度を定期的に参照し、ピックアップ５の温度が所定の設定温度以下になったときに、トラッキングサーボ機構６の駆動を停止して、光ピックアップ５の往復移動を停止させる。なお、光ピックアップ５の方が光ディスク２よりも質量が小さいため、光ピックアップ５を移動させる方が光ディスク２を回転させるよりも消費電力が少なく、スピンドルモータ４の回転の停止による節電効果を維持することができる。
【００２３】
一般的に、光ディスク２では、データはディスクの内周側から外周側に向かって記録される。また、ＤＶＤなどの大容量ディスクでは、必ずしもディスクの最外周部までデータが記録されるとは限らない。そのため、光ピックアップ５を往復移動させる範囲として、光ディスク２の最内周部から最外周部までの全域を使用する代わりに、光ディスク２のデータ記録面にデータが記録されていない領域だけを使用してもよい。後者の場合、光ピックアップ５の温度が非常に高温であり、光ディスク２のデータ記録面のうち光ピックアップ５に対応する部分に熱による影響が及ぶとしても、既にデータが記録されている部分には影響が及ばず、記録されているデータの再生不能を防止することができる。
【００２４】
次に、インタフェース（Ｉ／Ｆ）９に接続されたパーソナルコンピュータなどからデータの記録又は再生命令が出力された場合の光ディスク装置１の動作について、図３に示すフローチャートを参照しつつ説明する。
【００２５】
動作命令を受けると、制御部７は、スピンドルモータ４を駆動して光ディスク２を所定の回転速度で回転させる（Ｓ１）。データを記録する場合、制御部７は、インタフェース９を介して受信したデータに基づいて光ピックアップ５の半導体レーザ１１の発振（オン／オフ）を制御する（Ｓ２）。また、データを再生する場合は、半導体レーザ１１を連続的に発振させ、ＲＦ信号処理部８から出力されるデータを、インタフェース９を介してパーソナルコンピュータなどに出力する。
【００２６】
その間、制御部７はパーソナルコンピュータなどからの動作命令が連続して入力されているか否かを判断する（Ｓ３）。動作命令が途切れると（Ｓ３でＹＥＳ）、制御部７は、動作命令が途切れている時間、すなわちデータの記録又は再生が行われていない時間が一定時間（例えば１分）以上経過したか否かを判断する（Ｓ４）。
【００２７】
データの記録又は再生が一定時間行われていないときは（Ｓ４でＹＥＳ）、制御部７はスピンドルモータ４の駆動を停止し（Ｓ５）、同時に温度センサ２０により光ピックアップ５の温度を測定する（Ｓ６）。そして、測定した温度と予め設定されている設定温度とを比較する（Ｓ７）。光ピックアップ５の温度が設定温度よりも高いときは（Ｓ７でＹＥＳ）、制御部７は、トラッキングサーボ機構６を駆動して、光ピックアップ５を光ディスク２の半径方向に所定の範囲で往復移動させる（Ｓ８）。制御部７は、光ピックアップ５の温度が設定温度以下になるまで、ステップＳ６からＳ８を繰り返す。なお、光ピックアップ５の温度が設定温度以下のときは（Ｓ７でＮＯ）、トラッキングサーボ機構６を駆動することなくそのままスピンドルモータ４の駆動を停止して光ディスク２の回転を停止させる。
【００２８】
なお、上記実施の形態において、光ディスク２の具体例として、ＤＶＤ−Ｒ、ＤＶＤ−ＲＷ、ＤＶＤ−ＲＡＭを例示したが、本発明はこれらの光ディスクに限定されず、ＣＤ−ＲやＣＤ−ＲＷなど従来から用いられている光ディスク及びより高密度な記録が可能な次世代光ディスクにも適用されうることは言うまでもない。
【００２９】
【発明の効果】
以上説明したように、請求項１の発明によれば、一定時間データの記録又は再生が行われていないときにスピンドルモータの駆動を停止するので節電効果が得られると共に、光ピックアップの温度が所定温度よりも高いときには所定温度以下になるまで光ピックアップが移動し続けるので、光ディスクのデータ記録面の特定の部分だけが長時間光ピックアップからの熱に曝されることはなく、データ記録面の状態が劣化することはほとんどない。その結果、正確なデータの記録又は再生を行うことができる。また、光ピックアップの方が光ディスクよりも質量が小さいため、光ピックアップを移動させる方が光ディスクを回転させるよりも消費電力が少なく、スピンドルモータの回転の停止による節電効果が維持される。さらに、光ピックアップの移動によりその周辺の空気が攪拌され、光ピックアップからの熱が拡散され、冷却効果が得られる。
【００３０】
また、請求項２の発明によれば、光ピックアップの温度が非常に高温であり、仮に光ディスクのデータ記録面に影響が及んだとしても、光ディスクに既に記録されているデータには影響が及ばず、記録されているデータを正確に再生することができる。
【００３１】
また、請求項３の発明によれば、光ディスクの回転停止時における光ピックアップが高温であったとしても、光ピックアップからの熱を拡散させることができ、光ディスクのデータ記録面が受ける熱による影響を低減することができる。
【図面の簡単な説明】
【図１】本発明の一実施の形態に係る光ディスク装置の構成を示す図である。
【図２】３ビーム方式の光ピックアップの構成を示す図である。
【図３】上記実施形態に係る光ディスク装置の動作を示すフローチャートである。
【符号の説明】
１  光ディスク装置
２  光ディスク
４  スピンドルモータ
５  光ピックアップ
６  トラッキングサーボ機構
７  制御部
１１  半導体レーザ
２０  温度センサ
【図１】
2004326944.tif 000003
【図２】
2004326944.tif 000004
【図３】
2004326944.tif 000005